(57)【要約】【課題】利便性を向上させるとともに管理負担が軽減される保管装置、保管システム、保管方法及び保管プログラムの提供を目的とする。【解決手段】当該保管装置に保管された物が有する第１の無線交信素子に記憶された、施錠又は解錠の条件を示すセキュリティ情報を読み取る読取手段と、当該保管装置の施錠状態と解錠状態との切り替えを行う施錠手段と、前記セキュリティ情報に基づいて前記施錠手段に施錠又は解錠の指示を行う錠指示手段と、を有する保管装置により上記課題を解決する。【選択図】図１
2013194425.tif 000002
【特許請求の範囲】
【請求項１】
当該保管装置に保管された物が有する第１の無線交信素子に記憶された、施錠又は解錠の条件を示すセキュリティ情報を読み取る読取手段と、
当該保管装置の施錠状態と解錠状態との切り替えを行う施錠手段と、
前記セキュリティ情報に基づいて前記施錠手段に施錠又は解錠の指示を行う錠指示手段と、
を有する保管装置。
【請求項２】
時間を計測するタイマを有し、
前記錠指示手段は、施錠又は解錠の時間を示す情報を前記条件として含む前記セキュリティ情報に基づいて、施錠又は解錠の指示を行うことを特徴とする、請求項１に記載の保管装置。
【請求項３】
前記セキュリティ情報は、期間を示す情報を前記条件として含み、
前記錠指示手段は、前記期間を超えた場合に解錠の指示を行わないことを特徴とする、請求項１又は２に記載の保管装置。
【請求項４】
当該保管装置の外部に提示された第２の無線交信素子に記憶された識別情報を読み取る識別情報読取手段と、
当該保管装置の解錠権限を有する前記識別情報を記憶する権限情報記憶手段とを有し、
前記錠指示手段は、前記セキュリティ情報に含まれるセキュリティレベルが所定の値の場合、前記識別情報が前記権限情報記憶手段に記憶されているときに解錠の指示を行うことを特徴とする、請求項１ないし３のいずれか一項に記載の保管装置。
【請求項５】
物を保管する保管装置と、前記物が有する無線交信素子とからなる保管システムであって、
前記無線交信素子は、
前記保管装置の施錠又は解錠の条件を示すセキュリティ情報を記憶する記憶手段を有し、
前記保管装置は、
当該保管装置の施錠状態と解錠状態との切り替えを行う施錠手段と、
前記セキュリティ情報に基づいて前記施錠手段に施錠又は解錠の指示を行う錠指示手段とを有することを特徴とする、保管システム。
【請求項６】
当該保管装置に保管された物が有する第１の無線交信素子に記憶された識別情報を読み取る読取手段と、
前記識別情報に対応して、施錠又は解錠の条件を示すセキュリティ情報を記憶する記憶手段と、
当該保管装置の施錠状態と解錠状態との切り替えを行う施錠手段と、
前記読取手段により読み取られた前記識別情報と対応して記憶された前記セキュリティ情報に基づいて、前記施錠手段に施錠又は解錠の指示を行う錠指示手段と、
を有する保管装置。
【請求項７】
保管装置に保管された物が有する第１の無線交信素子に記憶された、施錠又は解錠の条件を示すセキュリティ情報を読み取る読取手順と、
前記保管装置の施錠状態と解錠状態との切り替えを行う施錠手順と、
前記セキュリティ情報に基づいて前記施錠手段に施錠又は解錠の指示を行う錠指示手順と、
を有する保管方法。
【請求項８】
前記保管装置は時間を計測するタイマを有し、
前記錠指示手順は、施錠又は解錠の時間を示す情報を前記条件として含む前記セキュリティ情報に基づいて、施錠又は解錠の指示を行うことを特徴とする、請求項１に記載の保管方法。
【請求項９】
前記セキュリティ情報は、期間を示す情報を前記条件として含み、
前記錠指示手手順、前記期間を超えた場合に解錠の指示を行わないことを特徴とする、請求項７又は８に記載の保管方法。
【請求項１０】
請求項７ないし９のいずれか一項に記載された保管方法をコンピュータに実行させる保管プログラム。
【発明の詳細な説明】
【技術分野】
【０００１】
本発明は、保管装置、保管システム、保管方法及び保管プログラムに関する。
【背景技術】
【０００２】
近年、保管用のキャビネットに物品を保管する場合に、個々の物品を格納するケースにＩＣタグを取り付けて管理するとともに、ＩＣタグから読み取った情報に基づいて、所定の物品が管理されているキャビネットの施錠及び解錠を行う技術が発達している。このような技術では、キャビネットの棚周辺にＩＣタグを読み取るリーダーを設置し、棚に載置されたケースに付加されたＩＣタグを読み取って、物品を管理する。
【０００３】
例えば、キャビネット外部にＰＣを接続し、ＰＣから物品を指定すると、指定された物品が格納されたキャビネットの施錠が解除される。また例えば、キャビネットが使用者の認証カードを読み取って認証を行い、認証された場合に扉の施錠を解除する。使用者が扉の施錠を行うと、キャビネットに取り付けられた制御装置が、物品を格納するケースに付加されたＩＣタグに問合せを行い、施錠前のＩＣタグのデータと比較して、取り出された物品を特定する。
【０００４】
特許文献１には、遠隔操作により扉の施解錠が可能で、かつ物品情報が書き込まれたＩＣタグを有する物品が内部に収納されている複数のキャビネットにおける扉の施解錠装置であって、各棚毎に載置した荷の物品情報を非接触で読み取り可能なタグリーダーが配置され、管理端末からの物品情報の指定により、該物品情報とタグリーダーが読み取ったＩＣタグの物品情報が一致した場合に、当該ＩＣタグを有する物品が収納されているキャビネットの扉を解錠するキャビネットにおける扉の施解錠装置に関する技術が開示されている。
【０００５】
また、特許文献２には、操作者のＩＤを認証して扉の開閉許可を判断するＩＤ認証手段と、該ＩＤ認証手段の許可を受けて、保管庫の扉を開放状態とする保管庫開閉手段とを備える保管庫において、前記保管庫に着脱可能に取り付けた複数の保管庫用ユニットに、被保管物を収納し、前記被保管物の各々に取り付けた接触式ＩＣチップと、前記保管庫用ユニットに取り付けたユニット用接触式ＩＣチップと、前記保管庫用ユニットに取り付けられ、前記接触式ＩＣチップのデータを読み取るユニット用データ読み取り手段と、前記ユニット用接触式ＩＣチップのデータを読み取る保管庫用データ読み取り手段と、前記保管庫用データ読み取り手段と前記ユニット用データ読み取り手段が読み取ったデータを入力して、前記保管庫用ユニットと前記被保管物を管理する制御装置を有する保管庫についての技術が開示されている。
【発明の開示】
【発明が解決しようとする課題】
【０００６】
しかし、上述のような物品管理装置での管理方法では、扉の施錠及び解錠について使用者の操作が必要となり、利便性を損なうという問題があった。物品保管装置の扉の施錠及び解錠については、保管されている物品の性質に応じて、柔軟かつ自動に行なわれることが望ましい。
【０００７】
本発明は、上記の点に鑑みてなされたものであって、利便性を向上させるとともに管理負担が軽減される保管装置、保管システム、保管方法及び保管プログラムの提供を目的とする。
【課題を解決するための手段】
【０００８】
そこで上記課題を解決するため、本発明の保管装置は、当該保管装置に保管された物が有する第１の無線交信素子に記憶された、施錠又は解錠の条件を示すセキュリティ情報を読み取る読取手段と、当該保管装置の施錠状態と解錠状態との切り替えを行う施錠手段と、前記セキュリティ情報に基づいて前記施錠手段に施錠又は解錠の指示を行う錠指示手段と、を有することを特徴とする。
【０００９】
また、上記課題を解決するため、本発明は、前記保管装置を用いた保管システム、又は前記保管装置における保管方法及び保管プログラムとしてもよい。
【発明の効果】
【００１０】
本発明によれば、利便性を向上させるとともに管理負担が軽減される保管装置、保管システム、保管方法及び保管プログラムを提供することができる。
【図面の簡単な説明】
【００１１】
【図１】本実施形態の概要を説明するための図である。
【図２】制御部のハードウェア構成図である。
【図３】制御部の機能ブロック図である。
【図４】管理対象物タグへの入力処理のフローチャートである。
【図５】管理対象物用タグが保持する情報の一例を示す図である。
【図６】施錠中の処理のフローチャートである。
【図７】解錠中の処理のフローチャートである。
【発明を実施するための形態】
【００１２】
（第１の実施形態）
（処理の概要）
以下、図面に基づいて本発明の実施の形態を説明する。図１は、本実施形態の概要を説明するための図である。
【００１３】
本実施形態における保管装置システムは、保管装置１に格納する保管物１０に対して、施錠及び解錠時間等の設定を行い、設定に基づいて保管装置１の扉の施錠及び解錠を行うシステムである。保管物１０にはＲＦＩＤ（Radio Frequency IDentification）タグである管理対象物用タグ２００が取り付けられており、ユーザは保管物１０を保管装置１に格納して扉を閉め、赤外線通信機器１０３で保管物１０の管理のため、制御部１００で管理する所定の項目について設定を行う。赤外線通信機器１０３はキーボードやテンキーの操作部を有し、ユーザの入力を受け付ける。赤外線通信機器１０３で設定する項目は、１又は２のレベルであるセキュリティレベルと、管理番号、施錠時間及び解錠時間、有効期限等の管理情報である。保管装置１は、格納された保管物１０のタグを読み取って、例えば施錠時間及び解錠時間に従って扉の施錠及び解錠を行う。
【００１４】
（全体構成と機能）
図１（Ａ）は、保管システムの一例を示す図である。保管装置システムは、保管装置１、ユーザ認証用タグ３００、及び赤外線通信機器１０３によりその機能を実現する。赤外線通信機器１０３は、赤外線受光部１０６を介して保管装置１に格納された保管物１０に付加された管理対象物用タグ２００に対して書き込みを行うための装置である。
【００１５】
管理対象物用タグ２００に対しては、管理情報及びセキュリティレベルの書き込みを行うが、２段階のセキュリティレベルのうちセキュリティに関して高レベルであるレベル２については、解錠を行うユーザの認証を必要とする。セキュリティレベルが２の場合、保管装置１の解錠を行うユーザは、ユーザの認証情報が書き込まれたＲＦＩＤタグであるユーザ認証用タグ３００が付加されたカードを保管装置１にかざす。すると、制御部１００により認証情報が参照され、その後管理情報に応じて扉が解錠される。
【００１６】
保管装置１は、制御部１００を備え、保管装置の内部及び外部のＲＦＩＤタグの読み取り、書き込みを行うＲＦＩＤリーダ・ライタ１０２と、赤外線受光部１０６とを備えている。図１（Ｂ）は、制御装置１００の拡大図である。赤外線通信機器１０３により入力されたセキュリティレベル及び管理情報は、赤外線受光部１０６で受信され、ＲＦＩＤリーダ・ライタ１０２によって、管理対象物用タグ２００に書き込まれる。
【００１７】
また、保管装置１は、施錠部２６を備える扉１２を備える。図１（Ｃ）は扉１２の開閉を説明するための図である。施錠部２６は、扉１２の施錠状態と解錠状態を切り替えるための錠前である。施錠部２６が施錠されると、扉１２が施錠され（施錠状態とされ）、施錠部２６が解錠されると、扉１２が解錠される（解錠状態となる）。また、保管装置１は、電源供給部１０１により電源が供給されている。
【００１８】
施錠及び施錠の解除は、制御部１００の制御によって行われる。保管装置内部のＲＦＩＤリーダ・ライタ１０２によって管理対象物用タグ２００が読み取られ、セキュリティレベル及び管理情報に応じた施錠及び解錠が行われる。管理対象物用タグ２００には、管理情報として施錠時間及び解錠時間が書き込まれており、制御部１００は解錠時間に施錠部２６を施錠し、解錠時間になったら解錠するよう制御する。
【００１９】
（制御部１００の構成）
次に、制御部１００のハードウェア構成について説明する。図２は、制御部のハードウェア構成図である。
【００２０】
制御部１００は、上述したＲＦＩＤリーダ・ライタ１０２のほか、ＣＰＵ２１、記憶装置２２、ネットワークＩ／Ｆ６、入力部２３、表示部２４、タイマ２５、センサ２７、施錠コントロール部２８を備える。それぞれの構成要素はバスにより接続される。
【００２１】
ＣＰＵ２１は、予め記憶装置２２に記憶されたプログラムに基づいて、保管装置１の制御を実行する。記憶装置２２はＲＯＭまたはＲＡＭ、ＨＤＤにより構成され、保管装置１の制御に必要とされるプログラムを記憶する。
【００２２】
入力部２３は、保管装置１の操作を受け付けるテンキーまたはキーボード等の入力装置であるが、赤外線通信機器１０３のインターフェイスとして入力を受け付ける構成であってもよい。表示部２４はＬＣＤ（Liquid Crystal Display）等の表示装置であって、保管装置１の操作に必要な情報を表示する。タイマ２５は、保管装置１の施錠または解錠のための時間計測を行う。
【００２３】
ネットワークＩ／Ｆ６は、有線又は無線の通信によってＬＡＮ（Local Area Netwerk）回線等のネットワークに接続するためのインターフェイスである。保管装置１の管理をホストコンピュータの情報処理装置によって行う場合、情報処理装置とのインターフェイスの機能を有する。センサ２７は、保管装置１の扉の開閉を検知する。また、センサ２７は、保管装置１内部の保管物１０の有無を検知する。施錠コントロール部２８は、ＣＰＵ２１により実行されるソフトウェアによって施錠部２６に施錠部自身の施錠又は解錠を指示する信号を出力する。
【００２４】
（保管装置１の機能）
次に、保管装置１が備える制御部１００の機能について説明する。図３は制御部の機能ブロック図である。
【００２５】
制御部１００は、上述のネットワークＩ／Ｆ６及びセンサ２７のほか、データ処理部２、データ記録部３、情報入力部４、ＲＦＩＤ制御部５、施錠制御部７、時間管理部８を備える。データ処理部２は、保管物１０の備える管理対象物用タグ２００への情報の書き込みや読み取りを行い、保管装置１の扉の施錠及び解錠を制御する。データ記録部３は、赤外線通信機器１０３から入力された情報等を一時的に格納する。
【００２６】
情報入力部４は、入力部２３や赤外線通信機器１０３から入力された情報をデータ処理部２に通知する。ＲＦＩＤ制御部５は、ＲＦＩＤリーダ・ライタ１０２からのデータの入出力を制御する。施錠制御部７は、施錠部２６を用いた錠前の開閉を制御する。時間管理部８は、タイマ２５を参照し、管理対象物用タグ２００に記録された施錠又は解錠時間に基づいてデータ処理部２に通知を行う。
【００２７】
管理対象物用タグ２００及びユーザ認証用タグ３００はＲＦＩＤチップ１５を備えている。管理対象物用タグ２００は、ＲＦＩＤチップ１５に、セキュリティレベルと、施錠、解錠の開始時間や解錠期限等の情報である管理情報とを記憶する。管理情報としては、管理番号と、施錠及び解錠の日時、保管物１０の有効期限が入力される。
【００２８】
ユーザ認証用タグ３００は、ＲＦＩＤチップ１５に保管装置１における認証情報を記憶し、管理対象物用タグ２００に記憶されたセキュリティレベルが高レベルである２の場合に、ＲＦＩＤリーダ・ライタ１０２にユーザ認証用タグ３００が付加されたカードを提示することで、保管装置１の使用者の認証を行う。
【００２９】
ネットワークＩ／Ｆ６はホストコンピュータ４００と通信を行う。制御部１００は、管理対象物用タグ２００から読み取った情報をホストコンピュータに送信したり、扉の施錠及び開閉履歴をホストコンピュータに送信する。ホストコンピュータは、保管装置１から受信した情報に基づいて、必要な管理を行う。
【００３０】
本実施形態では、保管装置１の施錠及び解錠に必要な情報は保管物１０に付加された管理対象物用タグ２００に書き込まれる。これにより、保管物１０は、どの保管装置１に格納されるかに関係なく、保管物１０に付された管理対象物用タグ２００によって管理される。従って、保管装置１及び保管物１０が複数あり、保管物１０を使用したユーザが保管装置１に戻すシステムである場合でも、ユーザは保管物１０をどの保管装置１に戻しても所望の施錠及び解錠が行われることとなる。
【００３１】
管理者は、一度管理対象物用タグ２００に情報を入力すれば、保管物１０の格納の都度管理情報を入力する手間に煩わされない。ユーザは、管理情報が書き込まれた管理対象物用タグ２００が付加された保管物１０について、返却する保管装置１の特定を意識することなく、本実施形態における保管システムによる管理を享受することができる。
【００３２】
（管理対象物タグへの情報の入力処理）
次に、管理対象物タグへの情報の入力処理について説明する。図４は、管理対象物タグへの入力処理のフローチャートである。保管装置１の使用開始時には、保管物１０に管理対象物用タグ２００が付加され、保管装置１に格納され、扉１２が閉められる。扉１２が閉められたことがセンサ２７により検知されると、自動に施錠が行われる。施錠後、本フローチャートによる処理が開始される。
【００３３】
Ｓ１１において、赤外線通信機器１０３を用いて、ユーザが保管物１０のセキュリティレベルと管理情報を入力する。図５は、管理対象物用タグ２００が保持する情報の一例を示す図である。
【００３４】
本実施形態では、セキュリティレベルについて２段階設け、セキュリティレベルが１の場合は解錠のためのユーザの認証を必要とせず、セキュリティレベルが２の場合はユーザの認証が必要であるとする。セキュリティレベルが１の場合、管理対象物用タグ２００には、セキュリティレベル「１」を示す情報と、管理情報として、管理番号、施錠及び解錠の日時、保管物１０の有効期限が入力される。セキュリティレベルが２の場合は、これに加え、解錠を許可されたユーザの識別情報が入力される。
【００３５】
尚、保管物１０の有効期限とは、例えば保管物１０が一定間隔で点検を受ける必要がある計測器等である場合に、期限が切れた装置を持ち出すことができないよう、保管装置１の解錠について期限を設定するものである。
【００３６】
図４に戻る。Ｓ１２において、情報入力部４によって入力情報を受け付けたデータ処理部２は、ＲＦＩＤ制御部５を用いて入力情報を管理対象物用タグ２００に書き込む。管理対象物用タグ２００のＲＦＩＤチップ１５に情報が書き込まれ、処理が終了する。
【００３７】
（施錠中の処理）
次に、保管装置１の施錠中の処理について説明する。図６は、施錠中の処理のフローチャートである。
【００３８】
Ｓ２１において、データ処理部２は、ＲＦＩＤ制御部５に対し、定期的に管理対象物用タグ２００から情報を読み取る。ＲＦＩＤ制御部５は、ＲＦＩＤリーダ・ライタ１０２を用いて保管物１０に付加された管理対象物用タグ２００を読み取る。ここで読み取られた情報は、セキュリティレベル１、解錠時間が平日午前９時、施錠時間が平日午後５時、有効期限が平成２４年○月○日であるとする。
【００３９】
Ｓ２２において、データ処理部２が、ＲＦＩＤ制御部５において読み取られた情報のうち、管理対象物用タグ２００に記録された管理情報の中の有効期限に関する情報を参照する。有効期限である平成２４年○月○日よりも前であった場合、有効期限内であるとしてＳ２３に進む。Ｓ２３において、データ処理部２は、管理対象物用タグ２００に記録された管理情報のうち、解錠時間を示す情報を参照する。解錠時間である平日午前９時になった場合に、Ｓ２４に進む。
【００４０】
Ｓ２４において、データ処理部２により、管理対象物用タグ２００に書き込まれたセキュリティレベルが１か２かが参照される。セキュリティレベルが１の場合、Ｓ２５において、データ処理部２による通知を受けた施錠制御部７が施錠を解除して、処理を終了する。
【００４１】
Ｓ２４において、管理対象物用タグ２００に書き込まれたセキュリティレベルが２である場合、施錠の解除にはユーザ認証が必要である。Ｓ２７において、ユーザ認証用タグ３００が保管装置１に提示されると、ＲＦＩＤ制御部５がＲＦＩＤチップ１５を読み取って取得したユーザの認証情報をデータ処理部２に送る。データ処理部２は、保管物１０に付加された管理対象物用タグ２００から読み取られたユーザの認証情報と、ユーザ認証用タグ３００から取得した認証情報とを照合し、両者が一致する場合はＳ２５に進み、施錠が解除されて処理が終了する。
【００４２】
Ｓ２２において、管理対象物用タグ２００に書き込まれた有効期限を越えていた場合は、保管物１０の利用を制限するため、解錠を行わない。Ｓ２６において、データ処理部２は施錠を維持し、処理を終了する。尚、この場合の解錠は、情報入力部４からの所定の入力により行われてもよいし、マスターキーの挿入により行われることとしてもよい。
【００４３】
本説明では、管理対象物用タグ２００が有する管理情報として、施錠及び解錠時間、有効期限を有する場合について説明したが、これらの情報に限定されるものではないことは述べるまでもない。また、これらの条件を必要条件とするものではない。
【００４４】
（施錠中の処理）
次に、保管装置１の解錠中の処理について説明する。図７は、解錠中の処理のフローチャートである。
【００４５】
扉１２が閉じられている間、ＲＦＩＤ制御部５が定期的に保管装置１の内部の情報を読み取る点については、施錠中の処理と同様である。Ｓ３１において、ＲＦＩＤ制御部５が、保管装置１内部の保管物１０に付加された管理対象物用タグ２００を読み取る。Ｓ３２において、データ処理部２は読み取られた管理情報と時間管理部８を参照し、所定の施錠時間の午後５時である場合にＳ３３に進む。Ｓ３３において、データ処理部２は施錠制御部７に扉の施錠を行うよう通知し、施錠制御部７によって保管装置１の施錠が行われる。
【００４６】
尚、保管装置１は、複数の保管物１０を収容することも可能である。この場合、ＲＦＩＤ制御部５は、保管物１０に付加された複数の管理対象物用タグ２００に、同一の情報を書き込むよう制御する。データ処理部２は、解錠され開かれた扉が閉じられたことを契機に、保管装置１の残置物の管理対象物用タグ２００を読み取る。残置物のセキュリティレベルが１である場合は解錠の状態を維持する。セキュリティレベルが２の場合、残置物のセキュリティ維持のため、データ処理部２は施錠制御部７に扉を施錠させるよう通知する。これにより、残置物のセキュリティレベルに応じた処理が可能となる。
【００４７】
このように構成することにより、保管物１０の性質に応じた施錠及び解錠の設定を行い、設定に応じて自動で施錠、解錠を行うことができ、利便性が向上する。例えば、保管されている物品が高額でない物品であって、使用頻度が高く、利用者がある程度限られている場合などは、常時施錠するのではなく、一定時間施錠を解除することができれば利便性が向上する。この実施形態により、土日及び夜間のみ施錠するよう設定し、使用者を煩わせずに自動で施錠及び解錠される対応が可能となる。
【００４８】
施錠及び解錠の時間設定や有効期限など、保管物１０の機能や性質に対応した細かい設定を可能とすることで、管理負担が軽減される。
【００４９】
（変形例）
本実施形態における保管装置１を複数設置し、一台のホストコンピュータで管理することも可能である。保管装置１は、保管物１０に付加された管理対象物用タグ２００に書き込まれた情報に基づいて施錠又は解錠を行うため、特定の保管装置１から保管物１０を取り出したユーザは、保管物１０を同じ保管装置１に返却することを要しない。
【００５０】
また、この場合、管理対象物用タグ２００から読み取った情報をホストコンピュータに適宜送信し、ホストコンピュータで保管物１０の識別情報や有効期限、認証用データの管理を行うことができる。
【００５１】
（第２の実施形態）
上述の実施形態では、情報入力部４からの入力により、管理対象物用タグ２００にセキュリティデータ及び管理情報の両者を書き込む構成とした。第２の実施形態では、管理対象物用タグ２００には管理情報の内の管理番号を書き込み、セキュリティデータ及び管理番号以外の管理情報は保管装置１のデータ記録部３に記録する構成とする。以下、第１の実施形態と重複する部分については、説明を割愛する。
【００５２】
保管装置１に格納された保管物１０に付加された管理対象物用タグ２００には、予め識別情報である管理番号が記録されている。情報入力部４からセキュリティデータ及び管理情報が入力されると、データ処理部２はデータ記録部３に入力された情報を記録する。データ記録部は、保管物１０が有する管理対象物用タグ２００の管理番号と、入力されたセキュリティレベル及び（管理番号以外の）管理情報とを対応させ、管理項目情報として記録する。
【００５３】
データ処理部２は、保管装置１に格納された保管物１に付加された管理対象物用タグ２００に記録された管理番号に基づいて、管理項目情報を参照し、施錠及び解錠の指示を行う。データ処理部２は、センサ２７から扉１２が閉じられた信号を受け付け、管理対象物用タグ２００を読み取って施錠又は解錠を行う。施錠及び解錠の制御は、第１の実施形態と同様の制御で実行する。
【００５４】
第２の実施形態は、保管物１０が保管される保管装置１は特定のものを用いる必要があるものの、管理対象物用タグ２００の情報容量が少ない場合であっても、保管物１０の性質に応じたセキュリティの実現が可能である。管理対象物用タグ２００に番号が記録されれば、番号と対応づけられたセキュリティデータ及び管理情報に従って、柔軟に施錠及び解錠を行うことができる。
【００５５】
（各請求項の対応）
尚、本明細書において、ＲＦＩＤチップ１５とは無線交信素子に相当する。また、セキュリティデータ及び管理情報はセキュリティ情報に相当する。識別情報は管理番号に相当する。
【００５６】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００５７】
１      保管装置
３      データ記録部
５      ＲＦＩＤ制御部
７      施錠制御部
１５    ＲＦＩＤチップ
２５    タイマ
２６    施錠部
１００  制御部
１０２  ＲＦＩＤリーダ・ライタ
【先行技術文献】
【特許文献】
【００５８】
【特許文献１】特許第４３６２２９３号公報
【特許文献２】特許第４１２６３１９号公報
【図１】
2013194425.tif 000003
【図２】
2013194425.tif 000004
【図３】
2013194425.tif 000005
【図４】
2013194425.tif 000006
【図５】
2013194425.tif 000007
【図６】
2013194425.tif 000008
【図７】
2013194425.tif 000009